(57)【要約】【課題】レンズを光軸方向へ駆動するとともに、振れを補正することが可能なレンズ駆動装置の具体的な構成を提案すること。【解決手段】光軸方向から見たときの形状が略四角形状となるレンズ駆動装置は、レンズとともに移動可能な可動体２と、可動体２を保持する固定体と、可動体２を駆動するための駆動機構４とを備えている。可動体２は、光軸方向から見たときの外形が略四角形状となるように形成されている。駆動機構４は、可動体２の外周面に巻回される第１駆動用コイル１１と、空芯状に巻回されて形成されるとともに略９０°に折り曲げられた状態で可動体２の四隅のそれぞれにかつ可動体２の外周面に沿って配置される４個の第２駆動用コイル１２と、レンズ駆動装置の４つの側面のそれぞれと略平行に配置される４個の駆動用磁石１３とを備えている。駆動用磁石１３は、第１駆動用コイル１１および第２駆動用コイル１２と対向するように配置されている。【選択図】図２
2011053600.tif 000002
【特許請求の範囲】
【請求項１】
レンズの光軸方向から見たときの形状が略四角形状となるレンズ駆動装置であって、
前記レンズを保持するとともに移動可能な可動体と、前記可動体を移動可能に保持する固定体と、前記可動体を駆動するための駆動機構とを備え、
前記可動体は、前記光軸方向から見たときの外形が略四角形状となるように形成され、
前記駆動機構は、前記可動体の外周面に巻回される第１駆動用コイルと、空芯状に巻回されて形成されるとともに略９０°に折り曲げられた状態で前記可動体の四隅のそれぞれにかつ前記可動体の外周面に沿って配置される４個の第２駆動用コイルと、前記レンズ駆動装置の４つの側面のそれぞれと略平行に配置される略板状の４個の駆動用磁石とを備え、
前記駆動用磁石は、前記第１駆動用コイルおよび前記第２駆動用コイルと対向するように配置されていることを特徴とするレンズ駆動装置。
【請求項２】
前記第２駆動用コイルは、前記光軸方向に略平行な２個の第１辺部と前記光軸方向に略直交する２個の第２辺部とを備える略矩形状に巻回されるとともに、前記第２辺部の所定の位置で略９０°に折り曲げられて形成され、
前記第１辺部は、前記駆動用磁石の、前記第１駆動用コイルおよび前記第２駆動用コイルとの対向面の１つの磁極と対向していることを特徴とする請求項１記載のレンズ駆動装置。
【請求項３】
４個の前記駆動用磁石の前記対向面は、単極に着磁されるとともに同じ磁極に着磁され、
１個の前記第２駆動用コイルを構成する２個の前記第１辺部のそれぞれは、前記レンズ駆動装置の周方向で隣り合う前記駆動用磁石の前記対向面のそれぞれと対向していることを特徴とする請求項２記載のレンズ駆動装置。
【請求項４】
４個の前記第２駆動用コイルのうちの、前記光軸方向から見たときの前記可動体の対角線上に配置される２個の前記第２駆動用コイルは、１本の導線が順次巻回されて形成され、残りの２個の前記第２駆動用コイルは、他の１本の導線が順次巻回されて形成されていること、または、
４個の前記第２駆動用コイルのそれぞれは、４本の導線のそれぞれが巻回されて形成されるとともに、４個の前記第２駆動用コイルのうちの、前記光軸方向から見たときの前記可動体の対角線上に配置される２個の前記第２駆動用コイルが直列に接続され、残りの２個の前記第２駆動用コイルが直列に接続されていることを特徴とする請求項３記載のレンズ駆動装置。
【請求項５】
前記第２駆動用コイルは、前記光軸方向に略平行な２個の第１辺部と前記光軸方向に略直交する２個の第２辺部とを備える略矩形状に巻回されるとともに、前記第２辺部の所定の位置で略９０°に折り曲げられて形成され、
前記第２辺部は、前記駆動用磁石の、前記第１駆動用コイルおよび前記第２駆動用コイルとの対向面の１つの磁極と対向していることを特徴とする請求項１記載のレンズ駆動装置。
【請求項６】
前記光軸方向において所定の間隔で配置される２個の前記第１駆動用コイルを備え、
前記駆動用磁石の前記対向面は、前記光軸方向で異なる２つの磁極が隣り合うように着磁され、
２個の前記第１駆動用コイルのそれぞれは、前記駆動用磁石の前記対向面の２つの磁極のそれぞれと対向するように配置され、
１個の前記第２駆動用コイルを構成する２個の前記第２辺部のそれぞれは、前記駆動用磁石の前記対向面の２つの磁極のそれぞれと対向していることを特徴とする請求項５記載のレンズ駆動装置。
【請求項７】
４個の前記第２駆動用コイルのそれぞれは、４本の導線のそれぞれが巻回されて形成されていることを特徴とする請求項５または６記載のレンズ駆動装置。
【請求項８】
４個の前記第２駆動用コイルのうちの、前記光軸方向から見たときの前記可動体の対角線上に配置される２個の前記第２駆動用コイルのそれぞれに供給される電流の大きさの差が制御され、残りの２個の前記第２駆動用コイルのそれぞれに供給される電流の大きさの差が制御されることを特徴とする請求項７記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、複数のレンズを保持して光軸方向に移動する移動レンズ体と、２枚の板バネを介して移動レンズ体を移動可能に保持する固定体とを備えるレンズ駆動装置が知られている（たとえば、特許文献１参照）。この特許文献１に記載のレンズ駆動装置では、移動レンズ体を構成する円筒状のスリーブの外周に駆動用コイルが巻回されている。また、このレンズ駆動装置では、駆動用コイルの外周面に対向するように、４個の磁石が配置されている。
【先行技術文献】
【特許文献】
【０００３】
【特許文献１】特開２００８−５８６５９号公報
【発明の概要】
【発明が解決しようとする課題】
【０００４】
携帯電話等の携帯機器に搭載されたカメラを使用して撮影を行うときには、振れが発生しやすい。一方で、近年、携帯電話等に搭載されるカメラの市場では、カメラの高機能化の要求が高まっており、撮影時の振れを補正することが可能なカメラが市場で要求されている。また、近年、携帯電話等に使用されるカメラの市場では、高画素化の要求が一段と高まっており、かかる高画素化の要求に応えるため、カメラに搭載されるレンズの光軸の傾き量（チルト量）の許容範囲がしだいに狭くなっている。
【０００５】
そこで、本発明の課題は、レンズを光軸方向へ駆動するとともに、振れを補正することが可能なレンズ駆動装置の具体的な構成を提案することにある。また、本発明の課題は、レンズの光軸の傾きを抑制することが可能なレンズ駆動装置を提案することにある。
【課題を解決するための手段】
【０００６】
上記の課題を解決するため、本発明のレンズ駆動装置は、レンズの光軸方向から見たときの形状が略四角形状となるレンズ駆動装置であって、レンズを保持するとともに移動可能な可動体と、可動体を移動可能に保持する固定体と、可動体を駆動するための駆動機構とを備え、可動体は、光軸方向から見たときの外形が略四角形状となるように形成され、駆動機構は、可動体の外周面に巻回される第１駆動用コイルと、空芯状に巻回されて形成されるとともに略９０°に折り曲げられた状態で可動体の四隅のそれぞれにかつ可動体の外周面に沿って配置される４個の第２駆動用コイルと、レンズ駆動装置の４つの側面のそれぞれと略平行に配置される略板状の４個の駆動用磁石とを備え、駆動用磁石は、第１駆動用コイルおよび第２駆動用コイルと対向するように配置されていることを特徴とする。
【０００７】
本発明において、たとえば、第２駆動用コイルは、光軸方向に略平行な２個の第１辺部と光軸方向に略直交する２個の第２辺部とを備える略矩形状に巻回されるとともに、第２辺部の所定の位置で略９０°に折り曲げられて形成され、第１辺部は、駆動用磁石の、第１駆動用コイルおよび第２駆動用コイルとの対向面の１つの磁極と対向している。また、本発明において、たとえば、第２駆動用コイルは、光軸方向に略平行な２個の第１辺部と光軸方向に略直交する２個の第２辺部とを備える略矩形状に巻回されるとともに、第２辺部の所定の位置で略９０°に折り曲げられて形成され、第２辺部は、駆動用磁石の、第１駆動用コイルおよび第２駆動用コイルとの対向面の１つの磁極と対向している。
【０００８】
本発明のレンズ駆動装置では、駆動機構は、可動体の外周面に巻回される第１駆動用コイルと、レンズ駆動装置の４つの側面のそれぞれと略平行に配置される略板状の４個の駆動用磁石とを備え、駆動用磁石は、第１駆動用コイルと対向するように配置されている。そのため、第１駆動用コイルと駆動用磁石とによって、可動体に保持されるレンズを光軸方向へ駆動することが可能になる。
【０００９】
また、本発明では、駆動機構は、空芯状に巻回されて形成されるとともに略９０°に折り曲げられた状態で可動体の四隅のそれぞれに配置される４個の第２駆動用コイルを備え、駆動用磁石は、第２駆動用コイルと対向するように配置されている。そのため、第２駆動用コイルの、光軸方向に略平行な第１辺部が、駆動用磁石の、第１駆動用コイルおよび第２駆動用コイルとの対向面の１つの磁極と対向していれば、駆動用磁石と第１辺部との間に光軸方向に略直交する方向への駆動力を発生させることが可能になり、光軸方向に略直交する方向へ可動体に保持されるレンズを駆動することが可能になる。したがって、本発明では、光軸方向に略直交する方向へレンズを駆動することで、レンズ駆動装置が搭載されるカメラで撮影が行われる際の振れを補正することが可能になる。
【００１０】
また、本発明では、駆動機構は、空芯状に巻回されて形成されるとともに略９０°に折り曲げられた状態で可動体の四隅のそれぞれに配置される４個の第２駆動用コイルを備え、駆動用磁石は、第２駆動用コイルと対向するように配置されているため、第２駆動用コイルの、光軸方向に略直交する第２辺部が、駆動用磁石の、第１駆動用コイルおよび第２駆動用コイルとの対向面の１つの磁極と対向していれば、駆動用磁石と第２辺部との間に光軸方向への駆動力を発生させることが可能になる。すなわち、可動体の四隅で光軸方向への駆動力を発生させることが可能になる。したがって、可動体の四隅のそれぞれに生じる駆動力の大きさを変えることで、可動体に保持されるレンズの光軸の傾きを補正することが可能になる。したがって、本発明では、レンズの光軸の傾きを適切に補正することで、レンズの光軸の傾きを抑制することが可能になる。また、本発明では、レンズの光軸の傾きを補正することが可能になるため、レンズ駆動装置が搭載されるカメラで振れが生じた場合に、この振れを補正することも可能になる。
【００１１】
本発明において、駆動用磁石の対向面は、単極に着磁されるとともに同じ磁極に着磁され、１個の駆動用コイルを構成する２個の第１辺部のそれぞれは、レンズ駆動装置の周方向で隣り合う駆動用磁石の対向面のそれぞれと対向していることが好ましい。このように構成すると、１個の第２駆動用コイルを構成する２個の第１辺部に、光軸方向に略直交する方向への駆動力を発生させることができる。したがって、光軸方向に略直交する方向へのレンズの駆動力を高めることが可能になる。
【００１２】
本発明において、４個の第２駆動用コイルのうちの、光軸方向から見たときの可動体の対角線上に配置される２個の第２駆動用コイルは、１本の導線が順次巻回されて形成され、残りの２個の第２駆動用コイルは、他の１本の導線が順次巻回されて形成されていること、または、４個の第２駆動用コイルのそれぞれは、４本の導線のそれぞれが巻回されて形成されるとともに、４個の第２駆動用コイルのうちの、光軸方向から見たときの可動体の対角線上に配置される２個の第２駆動用コイルが直列に接続され、残りの２個の第２駆動用コイルが直列に接続されていることが好ましい。このように構成すると、４個の第２駆動用コイルに電流を供給するための電流供給回路の構成を簡素化することが可能になる。また、４個の第２駆動用コイルに電流を供給するための電流供給制御が容易になる。
【００１３】
本発明において、レンズ駆動装置は、光軸方向において所定の間隔で配置される２個の第１駆動用コイルを備え、駆動用磁石の対向面は、光軸方向で異なる２つの磁極が隣り合うように着磁され、２個の第１駆動用コイルのそれぞれは、駆動用磁石の対向面の２つの磁極のそれぞれと対向するように配置され、１個の第２駆動用コイルを構成する２個の第２辺部のそれぞれは、駆動用磁石の対向面の２つの磁極のそれぞれと対向していることが好ましい。このように構成すると、１個の第２駆動用コイルを構成する２個の第２辺部に光軸方向への駆動力を発生させることができる。したがって、可動体の四隅で発生する光軸方向への駆動力を高めることができ、レンズの光軸の傾きをより適切に補正することが可能になる。また、このように構成すると、２個の第１駆動用コイルのそれぞれが駆動用磁石の対向面の２つの磁極のそれぞれと対向するように配置されるため、レンズ駆動装置のパーミアンス係数を高めることが可能になる。
【００１４】
本発明において、４個の第２駆動用コイルのそれぞれは、４本の導線のそれぞれが巻回されて形成されていることが好ましい。また、この場合には、４個の第２駆動用コイルのうちの、光軸方向から見たときの可動体の対角線上に配置される２個の第２駆動用コイルのそれぞれに供給される電流の大きさの差が制御され、残りの２個の第２駆動用コイルのそれぞれに供給される電流の大きさの差が制御されることが好ましい。このように構成すると、光軸方向から見たときの可動体の対角線上に配置される２個の第２駆動用コイルによって、光軸方向に直交する所定の第１の方向を軸方向とするレンズの光軸の傾きを補正し、残りの２個の第２駆動用コイルによって、光軸方向と第１の方向とに直交する第２の方向を軸方向とするレンズの光軸の傾きを補正することが可能になる。したがって、４個の第２駆動用コイルによって、全方向で光軸の傾きを補正することが可能になる。
【発明の効果】
【００１５】
以上のように、本発明のレンズ駆動装置では、レンズを光軸方向へ駆動することが可能で、かつ、振れを補正することが可能になる。また、本発明のレンズ駆動装置では、レンズの光軸の傾きを抑制することが可能になる。
【図面の簡単な説明】
【００１６】
【図１】本発明の実施の形態にかかるレンズ駆動装置の斜視図である。
【図２】図１に示すレンズ駆動装置からケース体を取り外した状態を示す斜視図である。
【図３】図１に示すレンズ駆動装置からケース体を取り外したときの概略構成を示す平面図である。
【図４】図３のＥ−Ｅ方向から第１駆動用コイルと駆動用磁石との配置関係を説明するための図である。
【図５】図３のＥ−Ｅ方向から第２駆動用コイルと駆動用磁石との配置関係を説明するための図である。
【図６】本発明の他の実施の形態にかかる第１駆動用コイルと駆動用磁石との配置関係を側面から説明するための図である。
【図７】本発明の他の実施の形態にかかる第２駆動用コイルと駆動用磁石との配置関係を側面から説明するための図である。
【発明を実施するための形態】
【００１７】
以下、図面を参照しながら、本発明の実施の形態を説明する。
【００１８】
（レンズ駆動装置の構成）
図１は、本発明の実施の形態にかかるレンズ駆動装置１の斜視図である。図２は、図１に示すレンズ駆動装置１からケース体８を取り外した状態を示す斜視図である。図３は、図１に示すレンズ駆動装置１からケース体８を取り外したときの概略構成を示す平面図である。図４は、図３のＥ−Ｅ方向から第１駆動用コイル１１と駆動用磁石１３との配置関係を説明するための図である。図５は、図３のＥ−Ｅ方向から第２駆動用コイル１２と駆動用磁石１３との配置関係を説明するための図である。
【００１９】
本形態のレンズ駆動装置１は、携帯電話等で使用される比較的小型のカメラに搭載されるものであり、カメラの振れを補正するための振れ補正機能を備えている。このレンズ駆動装置１は、図１に示すように、全体として略四角柱状に形成されている。具体的には、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。
【００２０】
本形態のレンズ駆動装置１が搭載されるカメラでは、図１、図２等のＺ２方向側に図示を省略する撮像素子が配置されており、図１、図２等のＺ１方向側に配置される被写体が撮影される。したがって、以下の説明では、Ｚ１方向側を被写体側（物体側）、Ｚ２方向側を反被写体側（撮像素子側、像側）とする。また、以下の説明では、光軸Ｌに直交するとともに互いに直交する２方向をＸ方向およびＹ方向とする。本形態では、レンズ駆動装置１の４つの側面は、Ｘ方向またはＹ方向と平行になっている。
【００２１】
レンズ駆動装置１は、図１〜図３に示すように、撮影用のレンズを保持するとともに光軸方向および光軸方向に略直交する方向へ移動可能な可動体２と、光軸方向および光軸方向に略直交する方向へ可動体２が移動可能となるように可動体２を保持する固定体３と、可動体２を駆動するための駆動機構４とを備えている。可動体２は、図示を省略する板バネを介して固定体３に移動可能に保持されている。
【００２２】
可動体２は、複数のレンズが固定されたレンズホルダ６を保持するスリーブ７を備えている。固定体３は、レンズ駆動装置１の側面を構成するケース体８と、レンズ駆動装置１の反被写体側の端面を構成するベース部材９とを備えている。
【００２３】
レンズホルダ６は、略円筒状に形成されており、その内周側に複数のレンズが固定されている。スリーブ７は、たとえば、樹脂材料で形成されるとともに、略四角筒状に形成されており、その内周側にレンズホルダ６が固定されている。すなわち、スリーブ７は、光軸方向から見たときの外形が略四角形状となるように形成されている。本形態では、スリーブ７は、光軸方向から見たときの外形が略正方形状となるように形成されている。より具体的には、図３に示すように、スリーブ７は、光軸方向から見たときの外形が四隅に面取り部を有する略正方形状となるように形成されている。また、本形態では、スリーブ７の外形が可動体２の外形となっており、可動体２も、光軸方向から見たときの外形が四隅に面取り部を有する略正方形状となるように形成されている。
【００２４】
ケース体８は、磁性材料で形成されるとともに、底部８ａと筒部８ｂとを有する底付きの略四角筒状に形成されている。被写体側に配置される底部８ａの中心には、円形の貫通孔８ｃが形成されている。ケース体８は、可動体２および駆動機構４の外周側を囲むように配置されている。
【００２５】
ベース部材９は、たとえば、樹脂材料で形成されるとともに、略正方形に形成されている。ベース部材９は、ケース体８の反被写体側に取り付けられている。
【００２６】
駆動機構４は、可動体２の外周面に巻回される１個の第１駆動用コイル１１と、可動体２の四隅のそれぞれに配置される４個の第２駆動用コイル１２と、レンズ駆動装置１の４つの側面のそれぞれと略平行に配置される４個の駆動用磁石１３とを備えている。
【００２７】
第２駆動用コイル１２は、略長方形状の空芯状に巻回されて形成された扁平コイルであり、互いに略平行な２個の短辺部１２ａと、互いに略平行で短辺部１２ａよりも長い２個の長辺部１２ｂとを備えている。また、第２駆動用コイル１２は、長辺部１２ｂの略中心位置で略９０°に折り曲げられて形成されている。
【００２８】
この第２駆動用コイル１２は、可動体２の四隅に固定されている。具体的には、可動体２の四隅において可動体２の外周面に沿うように、第２駆動用コイル１２は、可動体２に固定されている。すなわち、短辺部１２ａが光軸方向と略平行になり、長辺部１２ｂが光軸方向と略直交するように（すなわち、Ｘ方向またはＹ方向と略平行になるように）、第２駆動用コイル１２は、可動体２に固定されている。また、第２駆動用コイル１２は、光軸方向に直交する方向から見たときに、光軸方向における第１駆動用コイル１１の中心と、光軸方向における短辺部１２ａの中心とが略一致するように可動体２に固定されている。本形態の短辺部１２ａは、光軸方向に略平行な第１辺部であり、長辺部１２ｂは、光軸方向に略直交する第２辺部である。
【００２９】
なお、以下では、４個の第２駆動用コイル１２を区別して表す場合には、それぞれの第２駆動用コイル１２を第２駆動用コイル１２Ａ〜１２Ｄとする。第２駆動用コイル１２Ａ〜１２Ｄは、図３に示すように、光軸Ｌを中心とするレンズ駆動装置１の周方向において、時計回りにこの順番で配置されている。具体的には、Ｘ方向とＹ方向とから形成されるＸＹ平面においてＸ方向およびＹ方向に対して略４５°傾く第１の方向Ｖ（第１方向Ｖ）で、光軸Ｌを挟むように、第２駆動用コイル１２Ａ、１２Ｃが配置されており、第２駆動用コイル１２Ａと第２駆動用コイル１２Ｃとは、スリーブ７の対角線上に配置されている。また、ＸＹ平面において第１方向Ｖに対して略直交する第２の方向Ｗ（第２方向Ｗ）で、光軸Ｌを挟むように、第２駆動用コイル１２Ｂ、１２Ｄが配置されており、第２駆動用コイル１２Ｂと第２駆動用コイル１２Ｄとは、スリーブ７の対角線上に配置されている。
【００３０】
本形態では、第２駆動用コイル１２Ａと第２駆動用コイル１２Ｃとは、１本の導線が順次巻回されて形成されている。また、第２駆動用コイル１２Ｂと第２駆動用コイル１２Ｄとは、他の１本の導線が順次巻回されて形成されている。
【００３１】
駆動用磁石１３は、略長方形の薄板状に形成されている。この駆動用磁石１３は、その表面が互いに異なる磁極となるように着磁されている。すなわち、駆動用磁石１３の一方の表面がＳ極となり、駆動用磁石１３の他方の表面がＮ極となるように、駆動用磁石１３は着磁されている。すなわち、駆動用磁石１３の両表面は、単極に着磁されている。
【００３２】
４個の駆動用磁石１３のそれぞれは、ケース体８の筒部８ｂを構成する４個の側面部のそれぞれの内側に固定されている。具体的には、駆動用磁石１３が筒部８ｂを構成する側面部と略平行になるように、かつ、駆動用磁石１３の長手方向がＸ方向またはＹ方向と略平行になるように、４個の駆動用磁石１３のそれぞれが筒部８ｂの内側面に固定されている。また、第１駆動用コイル１１および第２駆動用コイル１２と駆動用磁石１３とが対向するように、４個の駆動用磁石１３のそれぞれが筒部８ｂの内側面に固定されている。また、４個の駆動用磁石１３の、第１駆動用コイル１１および第２駆動用コイル１２との対向面１３ａがいずれも同じ磁極になるように、４個の駆動用磁石１３が筒部８ｂの内側面に固定されている。たとえば、４個の対向面１３ａの磁極がいずれもＳ極となるように、４個の駆動用磁石１３が筒部８ｂの内側面に固定されている。
【００３３】
なお、以下では、４個の駆動用磁石１３を区別して表す場合には、それぞれの駆動用磁石１３を駆動用磁石１３Ａ〜１３Ｄとする。駆動用磁石１３Ａ〜１３Ｄは、図３に示すように、光軸Ｌを中心とするレンズ駆動装置１の周方向において、時計回りにこの順番で配置されている。具体的には、Ｘ方向で対向するように、駆動用磁石１３Ａ、１３Ｃが配置され、Ｙ方向で対向するように、駆動用磁石１３Ｂ、１３Ｄが配置されている。
【００３４】
上述のように、４個の駆動用磁石１３は、第１駆動用コイル１１と対向するように筒部８ｂに固定されている。また、対向面１３ａはいずれも同じ磁極に着磁されている。そのため、第１駆動用コイル１１に電流が供給されると、第１駆動用コイル１１と駆動用磁石１３との間に、光軸方向への駆動力が生じる。すなわち、第１駆動用コイル１１に電流が供給されると、可動体２には、光軸方向への駆動力が生じる。
【００３５】
また、上述のように、４個の駆動用磁石１３は、第２駆動用コイル１２と対向するように筒部８ｂに固定されている。具体的には、１個の第２駆動用コイル１２を構成する２個の短辺部１２ａのそれぞれが、周方向で隣り合う駆動用磁石１３の対向面１３ａのそれぞれと対向するように、４個の駆動用磁石１３が筒部８ｂに固定されている。すなわち、第２駆動用コイル１２Ａを構成する２個の短辺部１２ａのそれぞれは、駆動用磁石１３Ｄ、１３Ａの対向面１３ａのそれぞれと対向し、第２駆動用コイル１２Ｂを構成する２個の短辺部１２ａのそれぞれは、駆動用磁石１３Ａ、１３Ｂの対向面１３ａのそれぞれと対向し、第２駆動用コイル１２Ｃを構成する２個の短辺部１２ａのそれぞれは、駆動用磁石１３Ｂ、１３Ｃの対向面１３ａのそれぞれと対向し、第２駆動用コイル１２Ｄを構成する２個の短辺部１２ａのそれぞれは、駆動用磁石１３Ｃ、１３Ｄの対向面１３ａのそれぞれと対向している。
【００３６】
４個の駆動用磁石１３の対向面１３ａはいずれも同じ磁極に着磁されているため、第２駆動用コイル１２Ａ、１２Ｃに電流が供給されると、第２駆動用コイル１２Ａ、１２Ｃの短辺部１２ａと駆動用磁石１３との間に生じる駆動力の合力によって、可動体２には、第１方向Ｖへの駆動力が生じる。また、第２駆動用コイル１２Ｂ、１２Ｄに電流が供給されると、第２駆動用コイル１２Ｂ、１２Ｄの短辺部１２ａと駆動用磁石１３との間に生じる駆動力の合力によって、可動体２には、第２方向Ｗへの駆動力が生じる。
【００３７】
なお、本形態では、図５に示すように、長辺部１２ｂの一部と駆動用磁石１３とが対向しているため、第２駆動用コイル１２に電流が供給されると、長辺部１２ｂと駆動用磁石１３には、光軸方向へ駆動力が生じるが、駆動用磁石１３の対向面１３ａが単極に着磁されているため、１個の第２駆動用コイル１２を構成する２個の長辺部１２ｂと駆動用磁石１３との間に生じる駆動力の方向が互いに異なる。すなわち、被写体側に配置される長辺部１２ｂと駆動用磁石１３との間に生じる光軸方向への駆動力は、反被写体側に配置される長辺部１２ｂと駆動用磁石１３との間に生じる光軸方向への駆動力によって相殺される。
【００３８】
また、本形態では、図４に示すように、駆動用磁石１３の光軸方向の幅は、第１駆動用コイル１１の光軸方向の幅よりも広くなっており、光軸方向における可動体２の可動範囲の全域で、光軸方向における第１駆動用コイル１１の全域が駆動用磁石１３の対向面１３ａと対向するようになっている。また、本形態では、図５に示すように、駆動用磁石１３の光軸方向の幅は、短辺部１２ａの光軸方向の長さよりも長くなっており、光軸方向における可動体２の可動範囲の全域で、光軸方向における短辺部１２ａの全域が駆動用磁石１３の対向面１３ａと対向するようになっている。さらに、本形態では、光軸方向に直交する方向における可動体２の可動範囲の全域で、Ｘ方向またはＹ方向における短辺部１２ａの全域が駆動用磁石１３の対向面１３ａと対向するようになっている。
【００３９】
以上のように構成されたレンズ駆動装置１では、このレンズ駆動装置１が搭載されるカメラで撮影が行われる際に、可動体２が光軸方向に移動して、焦点が調整される。また、レンズ駆動装置１あるいはカメラに搭載されるジャイロスコープ（角速度センサ）等の振れを検出するセンサ（図示省略）によって、カメラの振れが検出されると、このセンサでの検出結果に基づいて、第２駆動用コイル１２に電流が供給され、可動体２が第１方向Ｖおよび／または第２方向Ｗに移動して、振れが補正される。
【００４０】
（本形態の主な効果）
以上説明したように、本形態では、可動体２の外周面に巻回される第１駆動用コイル１１と駆動用磁石１３とが対向するように配置され、駆動用磁石１３の対向面１３ａはいずれも同じ磁極に着磁されている。そのため、本形態では、第１駆動用コイル１１と駆動用磁石１３との間に光軸方向への駆動力を発生させることができ、可動体２に保持されるレンズを光軸方向へ駆動することができる。
【００４１】
また、本形態では、可動体２の四隅に配置される第２駆動用コイル１２の短辺部１２ａと駆動用磁石１３とが対向するように配置され、駆動用磁石１３の対向面１３ａは単極に着磁されている。そのため、本形態では、短辺部１２ａと駆動用磁石１３との間に光軸方向に略直交する方向への駆動力を発生させることができ、光軸方向に略直交する方向へ可動体２に保持されるレンズを駆動することができる。したがって、本形態では、光軸方向に略直交する方向へレンズを駆動することで、レンズ駆動装置１が搭載されるカメラで撮影が行われる際の振れを補正することができる。
【００４２】
本形態では、共通の駆動用磁石１３を利用して、光軸方向への可動体２の駆動力と、光軸方向に略直交する方向への可動体２の駆動力とを発生させている。そのため、光軸方向への可動体２の駆動力を発生させるための駆動用磁石と、光軸方向に略直交する方向への可動体２の駆動力を発生させるための駆動用磁石とが個別に設けられている場合と比較して、駆動機構４の構成を簡素化することができる。したがって、レンズ駆動装置１の構成を簡素化して、レンズ駆動装置１を小型化することが可能になる。
【００４３】
本形態では、１個の第２駆動用コイル１２を構成する２個の短辺部１２ａのそれぞれが、周方向で隣り合う駆動用磁石１３の対向面１３ａのそれぞれと対向している。そのため、１個の第２駆動用コイル１２を構成する２個の短辺部１２ａに光軸方向に略直交する方向への駆動力を発生させることができる。したがって、光軸方向に略直交する方向へのレンズの駆動力を高めることが可能になる。
【００４４】
本形態では、スリーブ７の対角線上に配置される２個の第２駆動用コイル１２Ａ、１２Ｃは、１本の導線が順次巻回されて形成され、残りの２個の第２駆動用コイル１２Ｂ、１２Ｄは、他の１本の導線が順次巻回されて形成されている。そのため、４個の第２駆動用コイル１２に電流を供給するための電流供給回路の構成を簡素化することが可能になる。また、４個の第２駆動用コイル１２に電流を供給するための電流供給制御が容易になる。
【００４５】
（他の実施の形態）
上述した形態は、本発明の好適な形態の一例ではあるが、これに限定されるものではなく本発明の要旨を変更しない範囲において種々変形実施が可能である。
【００４６】
上述した形態では、第２駆動用コイル１２Ａと第２駆動用コイル１２Ｃとは、１本の導線が順次巻回されて形成され、第２駆動用コイル１２Ｂと第２駆動用コイル１２Ｄとは、他の１本の導線が順次巻回されて形成されている。この他にもたとえば、４個の第２駆動用コイル１２のそれぞれは４本の導線のそれぞれが巻回されて形成されるとともに、第２駆動用コイル１２Ａと第２駆動用コイル１２Ｃとが直列に接続され、第２駆動用コイル１２Ｃと第２駆動用コイル１２Ｄとが直列に接続されても良い。この場合であっても、４個の第２駆動用コイル１２に電流を供給するための電流供給回路の構成を簡素化することが可能になり、また、４個の第２駆動用コイル１２に電流を供給するための電流供給制御が容易になる。
【００４７】
上述した形態では、駆動用磁石１３の対向面１３ａは単極に着磁されている。この他にもたとえば、駆動用磁石１３の対向面１３ａは、図６、図７に示すように、光軸方向で異なる２つの磁極が隣り合うように着磁されても良い。この場合には、たとえば、図６に示すように、光軸方向において所定の間隔で２個の第１駆動用コイル１１が可動体２の外周面に巻回されるとともに、２個の第１駆動用コイル１１のそれぞれは、対向面１３ａの２つの磁極のそれぞれと対向するように配置される。２個の第１駆動用コイル１１のそれぞれが対向面１３ａの２つの磁極のそれぞれと対向するように配置されると、レンズ駆動装置１のパーミアンス係数を高めることが可能になる。なお、この場合には、２個の第１駆動用コイル１１のそれぞれの巻回方向は互いに異なっている。
【００４８】
また、この場合には、図７に示すように、１個の第２駆動用コイル１２を構成する２個の長辺部１２ｂは、対向面１３ａの２つの磁極のそれぞれと対向するように配置される。そのため、この場合には、第２駆動用コイル１２に電流が供給されると、可動体２の四隅のそれぞれで光軸方向への駆動力が発生する。したがって、可動体２の四隅のそれぞれに生じる駆動力の大きさを変えることで、可動体２に保持されるレンズの光軸Ｌの傾きを補正することが可能になる。そのため、この場合には、レンズの光軸Ｌの傾きを適切に補正することで、レンズの光軸Ｌの傾きを抑制することが可能になる。
【００４９】
特に、この場合には、１個の第２駆動用コイル１２を構成する２個の長辺部１２ｂのそれぞれが対向面１３ａの２つの磁極のそれぞれと対向しているため、可動体２の四隅のそれぞれでは、４個の長辺部１２ｂを利用して光軸方向への駆動力を発生させることができる。したがって、可動体２の四隅で発生する光軸方向への駆動力を高めることができ、レンズの光軸Ｌの傾きをより適切に補正することが可能になる。
【００５０】
また、この場合には、レンズの光軸Ｌの傾きを補正することが可能になるため、レンズ駆動装置１が搭載されるカメラで振れが生じた場合に、この振れを補正することも可能になる。なお、この場合には、短辺部１２ａは、対向面１３ａの異なる２つの磁極に跨るように配置されるため、短辺部１２ａに生じる光軸方向に略直交する方向への駆動力は相殺される。
【００５１】
また、この場合には、４個の第２駆動用コイル１２のそれぞれは、４本の導線のそれぞれが巻回されて形成されるとともに、第２駆動用コイル１２Ａ、１２Ｃのそれぞれに供給される電流の大きさの差が制御され、第２駆動用コイル１２Ｂ、１２Ｄのそれぞれに供給される電流の大きさの差が制御されることが好ましい。このように構成すると、第２駆動用コイル１２Ａ、１２Ｃによって、第２方向Ｗを軸方向とするレンズの光軸Ｌの傾きを補正し、第２駆動用コイル１２Ｂ、１２Ｄによって、第１方向Ｖを軸方向とするレンズの光軸Ｌの傾きを補正することができる。したがって、４個の第２駆動用コイル１２によって、全方向で光軸Ｌの傾きを補正することが可能になる。
【００５２】
なお、この場合には、４個の第２駆動用コイル１２のそれぞれは、４本の導線のそれぞれが巻回されて形成されるとともに、第２駆動用コイル１２Ａと第２駆動用コイル１２Ｂとが直列に接続され、第２駆動用コイル１２Ｃと第２駆動用コイル１２Ｄとが直列に接続されても良い。あるいは、第２駆動用コイル１２Ａと第２駆動用コイル１２Ｂとが１本の導線が順次巻回されて形成され、第２駆動用コイル１２Ｃと第２駆動用コイル１２Ｄとが他の１本の導線が順次巻回されることで形成されても良い。このように構成すると、第２駆動用コイル１２Ａ、１２Ｂに供給される電流の大きさと第２駆動用コイル１２Ｃ、１２Ｄに供給される電流の大きさとの差を制御することで、Ｙ方向を軸方向とするレンズの光軸Ｌの傾きを補正することが可能になる。
【００５３】
また、この場合には、４個の第２駆動用コイル１２のそれぞれは、４本の導線のそれぞれが巻回されて形成されるとともに、第２駆動用コイル１２Ａと第２駆動用コイル１２Ｄとが直列に接続され、第２駆動用コイル１２Ｂと第２駆動用コイル１２Ｃとが直列に接続されても良い。あるいは、第２駆動用コイル１２Ａと第２駆動用コイル１２Ｄとが１本の導線が順次巻回されて形成され、第２駆動用コイル１２Ｂと第２駆動用コイル１２Ｃとが他の１本の導線が順次巻回されることで形成されても良い。このように構成すると、第２駆動用コイル１２Ａ、１２Ｄに供給される電流の大きさと第２駆動用コイル１２Ｂ、１２Ｃに供給される電流の大きさとの差を制御することで、Ｘ方向を軸方向とするレンズの光軸Ｌの傾きを補正することが可能になる。
【００５４】
また、光軸方向で異なる２つの磁極が隣り合うように駆動用磁石１３の対向面１３ａが着磁される場合には、対向面１３ａの２つの磁極のうちの一方の磁極のみと対向するように、１個の第１駆動用コイル１１が可動体２の外周面に巻回されても良い。また、この場合には、対向面１３ａの２つの磁極のうちの一方または他方の磁極のみと第２駆動用コイル１２とが対向するように、４個の第２駆動用コイル１２が可動体２の四隅に配置されても良い。この場合であっても、光軸方向に略直交する方向へレンズを駆動して、振れを補正することが可能になる。
【００５５】
また、上述した形態のように、対向面１３ａが単極に着磁されている場合には、１個の第２駆動用コイル１２を構成する２個の長辺部１２ｂの一方のみが対向面１３ａと対向するように、４個の第２駆動用コイル１２が可動体２の四隅に配置されても良い。この場合であっても、可動体２の四隅のぞれぞれで光軸方向への駆動力を発生させることができるため、可動体２の四隅のそれぞれに生じる駆動力の大きさを変えることで、可動体２に保持されるレンズの光軸Ｌの傾きを補正することが可能になる。
【００５６】
上述した形態では、１個の第２駆動用コイル１２を構成する２個の短辺部１２ａのそれぞれが、周方向で隣り合う駆動用磁石１３の対向面１３ａのそれぞれと対向するように、４個の駆動用磁石１３が配置されている。この他にもたとえば、１個の第２駆動用コイル１２を構成する２個の短辺部１２ａのうちの一方のみが駆動用磁石１３の対向面１３ａと対向するように、第２駆動用コイル１２および駆動用磁石１３が形成され、また、配置されても良い。
【００５７】
上述した形態では、レンズ駆動装置１は、光軸方向から見たときの形状が略正方形状となるように形成されている。この他にもたとえば、レンズ駆動装置１は、光軸方向から見たときの形状が略長方形状となるように形成されても良い。
【００５８】
上述した形態では、レンズ駆動装置１は、携帯電話等で使用されるカメラに搭載されている。この他にもたとえば、自動車の運転状況を記録するドライブレコーダで使用されるカメラにレンズ駆動装置１が搭載されても良い。この場合には、走行時の自動車の振動等に起因するカメラの振れ（振動）が検出されると、第２駆動用コイル１２に電流が供給されて、振れが補正される。また、レンズ駆動装置１は、監視カメラ等のその他の装置に搭載されても良い。
【符号の説明】
【００５９】
１  レンズ駆動装置
２  可動体
３  固定体
４  駆動機構
１１  第１駆動用コイル
１２（１２Ａ〜１２Ｄ）  第２駆動用コイル
１２ａ  短辺部（第１辺部）
１２ｂ  長辺部（第２辺部）
１３（１３Ａ〜１３Ｄ）  駆動用磁石
１３ａ  対向面
Ｌ  光軸
【図１】
2011053600.tif 000003
【図２】
2011053600.tif 000004
【図３】
2011053600.tif 000005
【図４】
2011053600.tif 000006
【図５】
2011053600.tif 000007
【図６】
2011053600.tif 000008
【図７】
2011053600.tif 000009